(57)【特許請求の範囲】
【請求項１】
弾性、可撓性を有する薄肉の円板体から成り、中央部に複数本のスリット部を前記円板体の略中心点から外側に向けて設け、これらの隣り合うスリット部間に舌片を形成すると共に、前記舌片の両側に凹凸部を鋸歯状に形成し、隣接する前記舌片同士の凹凸部の凹部同士、凸部同士を対向させて配置することにより、前記舌片間に前記凹部同士による複数個の空間を設けたことを特徴とする生花固定具。
【請求項２】
隣接する前記舌片の凸部同士を接近させたことを特徴とする請求項１に記載の生花固定具。
【請求項３】
隣接する前記舌片の凹部間の空間は四角形としたことを特徴とする請求項２に記載の生花固定具。
【請求項４】
隣接する前記舌片の凹部間の空間は円形としたことを特徴とする請求項２に記載の生花固定具。
【請求項５】
前記円板体の周囲に下方に向けて短円筒部から成る嵌合部を設けたことを特徴とする請求項１〜４の何れか１項に記載の生花固定具。
【請求項６】
前記円板体の周囲に下方に向けて筒状体を形成し、該筒状体に下方に向うにつれ幅が狭くなる複数枚のひれ部から構成したことを特徴とする請求項１〜４の何れか１項に記載の生花固定具。
【請求項７】
前記スリット部の終点部に円周方向に向けて切欠部を設けたことを特徴とする請求項１〜６の何れか１項に記載の生花固定具。
【発明の詳細な説明】
【技術分野】
【０００１】
本発明は、例えば墓前等の花立に挿入した生花が、強風等により倒れたり飛散してしまうことを防止する生花固定具に関するものである。
【背景技術】
【０００２】
特許文献１に示すように、墓石の前面には、生花を挿すための一対の花立が設置されている。彼岸や故人の命日には、墓参し墓を清掃すると共に花立に新しい生花を生け、故人の供養を行うのが一般的である。
【０００３】
通常、この花立は底部を有し、上部が開放されている筒状体から成り、上端が稍々拡がっている形状とされ、底部を墓石に固定し、筒状体内に水を入れて生花の茎を挿入する。
【先行技術文献】
【特許文献】
【０００４】
【特許文献１】特開２０００−７３６２３号公報
【発明の概要】
【発明が解決しようとする課題】
【０００５】
しかし、墓は屋外にあることから、天候の影響を極めて受け易く、花立内の生花は風雨等により倒れたり吹き飛ばされることがある。
【０００６】
本発明の目的は、上述の課題を解消し、花立内の生花が強風を受けても倒れ難く、また吹き飛ぶことを防止し、生花を長持ちさせることのできる生花固定具を提供することにある。
【課題を解決するための手段】
【０００７】
上述の目的を達成するための本発明に係る生花固定具は、弾性、可撓性を有する薄肉の円板体から成り、中央部に複数本のスリット部を前記円板体の略中心点から外側に向けて設け、これらの隣り合うスリット部間に舌片を形成すると共に、前記舌片の両側に凹凸部を鋸歯状に形成し、隣接する前記舌片同士の凹凸部の凹部同士、凸部同士を対向させて配置することにより、前記舌片間に前記凹部同士による複数個の空間を設けたことを特徴とする。
【発明の効果】
【０００８】
本発明に係る生花固定具によれば、生花の茎をスリット部に形成した凹凸部により保持するので、花立内の生花が風雨により倒れ難くなり、また容易に抜け出すことがない。
【図面の簡単な説明】
【０００９】
【図１】実施例１の生花固定具及び花立の斜視図である。
【図２】実施例１の生花固定具の平面図である。
【図３】断面図である。
【図４】生花を生花固定具により保持した状態の斜視図である。
【図５】実施例２の生花固定具の平面図である。
【図６】実施例３の生花固定具及び花立の斜視図である。
【図７】生花を生花固定具により保持した状態の断面図である。
【発明を実施するための形態】
【００１０】
本発明を図示の実施例に基づいて詳細に説明する。
【実施例１】
【００１１】
図１は実施例１の生花固定具と花立の斜視図、図２は生花固定具の平面図、図３は生花固定具の断面図をそれぞれ示している。
【００１２】
墓前の墓石に固定された花立１は、金属製、合成樹脂製の筒状部１ａから成り、上方が拡がり下方がすぼまっており、上端には略水平方向に大きく拡がった縁部１ｂが設けられている。また、花立１の底部は封止されており、底部は墓石に固定されている。
【００１３】
生花固定具２は弾性、可撓性を有する略円板状の合成樹脂材、合成ゴム材等の薄肉の円板体２ａから成り、円板体２ａの中央部に複数本のスリット部２ｂが円板体２ａの略中心である中心点Ｏで交差するように、中心点Ｏから外側に向けて、例えば放射状に設けられ、隣り合うスリット部２ｂ間に三角形状の舌片２ｃが形成されている。
【００１４】
各舌片２ｃの両側は、鋸歯状の凹凸部２ｄとされ、凹部２ｅと凸部２ｆが交互に形成されている。隣接する舌片２ｃの角形状の凹部２ｅ同士は接近し、凸部２ｆ同士は離隔し、それぞれ対向して配置されることにより、舌片２ｃ同士の間には凹部２ｅ同士による複数個の四角形の空間２ｇが設けられている。これらの空間２ｇは互いに対角同士が隣接する空間２ｇに接するように、連続して配置されている。
【００１５】
また、生花固定具２の周囲には、円板体２ａの外周縁から下方に延在する短筒状の嵌合部２ｈが形成されている。
【００１６】
墓前での生花固定具２の使用に際しては、花立１内に水を入れ、図４に示すように、花立１の縁部１ｂの周囲を覆うように嵌合部２ｈを嵌合することにより、花立１上に生花固定具２を取り付ける。なお、嵌合部２ｈの下部を更に内側に折曲しておくことにより、花立１の縁部１ｂの裏側に係止することもできる。
【００１７】
この状態で、生花固定具２の上方から複数本の生花Ｆの茎Ｓを挿入する。これらの茎Ｓの挿入により、舌片２ｃは下方に押し曲げられて舌片２ｃ間に間隙が生ずるので、茎Ｓを容易にその先端を花立１の底部付近まで押し込むことができる。茎Ｓの押し込みが終わると、舌片２はその素材の弾性により復元し、中心部に位置する茎Ｓは折り曲げられた舌片２ｃの先端に囲まれて保持され、中心から外れた茎Ｓは凹凸部２ｄ間に形成された四角形の空間２ｇに挟まれて保持される。また、中心から外れた茎Ｓのうち、空間２ｇよりも大きな径の茎Ｓは、舌片２ｃ間の間隙を大きく拡げたまま、凹凸部２ｄにより挟まれる。
【００１８】
このように、茎Ｓが凹凸部２ｄに形成された空間２ｇに個々に嵌り込むことで、茎Ｓの位置が固定される。従って、茎Ｓがスリット部２ｂに沿って移動することはなく、また抜け出し方向に対しても茎Ｓの四方が凹凸部２ｄの各辺により保持されているために接触抵抗が大きく、抜け出難くなり、茎Ｓが花立１に対して倒れることもない。なお、茎Ｓの径の大小に関係なく、茎Ｓは空間２ｇ内に固定され、移動することはない。
【００１９】
更には、嵌合部２ｈが花立１の縁部１ｂに嵌合していることにより、生花固定具２は花立１の縁部１ｂから外れることもなく、生花固定具２は生花Ｆの茎Ｓを確実に保持することができる。
【００２０】
また、生花Ｆの生花固定具２への挿入に際しては、各生花Ｆの茎Ｓが空間２ｇに位置するように調整することにより、茎Ｓの保持は更に確実になされる。
【００２１】
このように、花立１に生花固定具２を取り付けることにより、生花Ｆの保持が確実になされると共に、生花固定具２が花立１の蓋部の役割をも果たし、花立１内の水が蒸発し難くなり、生花Ｆをより長持ちさせ、花立１内への土埃等の侵入も防ぐこともできる。
【００２２】
生花Ｆが枯れて除去する場合には、生花Ｆを生花固定具２ごと花立１から引き抜き、生花固定具２から生花Ｆを取り外して捨てれば、生花固定具２は再び使用することができる。
【実施例２】
【００２３】
図５は実施例２の生花固定具２’の平面図を示し、実施例１と同一の符号は同一の部分を示している。円板体２ａ’に設けた舌片２ｃの両側の凹凸部２ｄの凹部２ｅ’は円弧状に凹んで形成され、舌片２ｃ同士の間には凹部２ｅ’同士による円形の空間２ｇ’が設けられている。更に、スリット部２ｂの終点部にはスリット部２ｂと交差する方向、つまり円周方向に短か目の切欠部２ｉが設けられ、円板体２ａ’の一部には外方に突出する摘み片２ｊが設けられている。
【００２４】
この実施例２においては、空間２ｇ’が円形であるため、丸い茎Ｓを傷を付けずに保持できる。また、切欠部２ｉの存在により、舌片２ｃの本来の屈曲とは別個に、凹凸部２ｄもスリット部２ｂに沿って屈曲させることが可能となり、茎Ｓに対する密着がより良好となり、空間２ｆ’よりも大きな茎Ｓに対しても、凹凸部２ｄにより対応が可能となる。
【００２５】
また、摘み片２ｊは花立１から生花固定具２’を取り外す場合に有効であり、花立１内の水の交換等も簡便に行うことができる。なお、切欠部２ｉ、摘み片２ｊは省略してもよいし、実施例１の生花固定具２にこれらの切欠部２ｉ、摘み片２ｊを付設することもできる。
【実施例３】
【００２６】
図６は実施例３の生花固定具と花立の斜視図である。花立１１の筒状部１１ａは墓石内に埋設されており、上端の縁部１１ｂのみが墓石上に露出していて、生花固定具１２はこの花立１１内に挿入して使用する。
【００２７】
生花固定具１２は実施例１、２と同様の材質から成り、筒状体１２ａの上にフランジ部１２ｂが形成され、筒状体１２ａは下方に向けて設けられた複数枚のひれ部１２ｃから構成され、これらのひれ部１２ｃは下方に向うにつれ幅が狭くなっている。フランジ部１２ｂは墓石内に埋め込まれた花立１１の縁部１１ｂ上に位置するようにされている。また、円板体２ａはスリット部２ｂ、舌片２ｃ、凹凸部２ｄと共に生花固定具１２の上部に形成され、実施例１の生花固定具２又は実施例２の生花固定具２’と同様の構造とされている。
【００２８】
この生花固定具１２の使用に際しては、図７の断面図に示すように、花立１１に水を入れてから、花立１１に生花固定具１２を挿入し、フランジ部１２ｂを縁部１１ｂ上に載置する。生花固定具１２の挿入により、生花固定具１２のひれ部１２ｃが花立１１の内壁に沿ってすぼまり、その弾性を伴う復元力により抜け出し難くなる。
【００２９】
この状態において、実施例１と同様に生花Ｆを花立１１内に挿入すれば、生花Ｆを確実に保持できる。
【００３０】
なお、この実施例３においては、生花固定具１２の筒状体１２ａが花立１１内に挿入されるので、実施例１、２のように嵌合部２ｈにより生花固定具１２を花立１１に固定しなくともよい。
【符号の説明】
【００３１】
１、１１  花立
１ａ  筒状部
１ｂ  縁部
２、２’、１２  生花固定具
２ａ、２ａ’  円板体
２ｂ  スリット部
２ｃ  舌片
２ｄ  凹凸部
２ｅ、２ｅ’   凹部
２ｆ  凸部
２ｇ、２ｇ’  空間
２ｈ  嵌合部
２ｉ  切欠部
２ｊ  摘み部
１１ａ  筒状部
１２ａ  筒状体
１２ｂ  フランジ部
１２ｃ  ひれ部
Ｆ  生花
Ｓ  茎
【要約】
【課題】花立に生けた花が風雨により飛ばされることを防止する。
【解決手段】  生花固定具２の円板体２ａには、複数本のスリット部２ｂが放射状に設けられ、複数の三角形状の舌片２ｃが形成されている。各舌片２ｃの両側は、鋸歯状の凹凸部２ｄとされ、角形状の凹部２ｅ同士は接近し、凸部２ｆ同士は離隔して配置され、舌片２ｃ同士の間には複数個の四角形の空間２ｇが設けられている。また、円板体２ａの外周縁から下方に延在する短筒状の嵌合部２ｈが形成されている。
生花固定具２の使用に際しては、花立１の縁部１ｂの周囲に嵌合部２ｈを嵌合することにより、花立１上に生花固定具２を取り付ける。この状態で、生花Ｆの茎Ｓを挿入すると、中心部における茎Ｓは折り曲げられた舌片２ｃの先端に囲まれて保持され、中心から外れた茎Ｓは凹凸部２ｄ間に形成された四角形の空間２ｇに挟まれて保持される。
【選択図】図４【図１】
0005600855.tif 000002
【図２】
0005600855.tif 000003
【図３】
0005600855.tif 000004
【図４】
0005600855.tif 000005
【図５】
0005600855.tif 000006
【図６】
0005600855.tif 000007
【図７】
0005600855.tif 000008